(57)【要約】【課題】本発明は固定できるビジネスペンケースを開示した。【解決手段】円筒を含み、前記円筒は円筒形であり、前記円筒の中には収納チャンバが設置され、前記収納チャンバの中には回転円柱が回転できるように設けられ、前記回転円柱の外側にはリールが固定的に設けられ、前記リールが軟質材料で作られ、前記リールの内壁には均一に分布する六組のペン立てが固定的に設けられ、前記ペン立てはサインペンを収納することができ、前記リールの右端にはプルリングが固定的に設けられ、前記リールの頂端には均一に分布する引掛り溝が設けられ、本発明は構造が簡単で、操作が便利で、ビジネスの出張やオフィスでの際には、携帯でき且つ吸盤によって装置を机上に固定することができ、このとき、リールを引き出したり引いたり回収したりし、構造がよりコンパクトになり、宣伝が容易になる。【選択図】図１
2020157747.tif 000002
【特許請求の範囲】
【請求項１】
円筒を含み、前記円筒は円筒形であり、前記円筒の中には収納チャンバが設置され、前記収納チャンバの中には回転円柱が回転できるように設けられ、前記回転円柱の外側にはリールが固定的に設けられ、前記リールが軟質材料で作られ、前記リールの内壁には均一に分布する六組のペン立てが固定的に設けられ、前記ペン立てはサインペンを収納することができ、前記リールの右端にはプルリングが固定的に設けられ、前記リールの頂端には均一に分布する引掛り溝が設けられ、前記円筒の頂端には凹溝が設けられ、前記凹溝の中には回転ブロック機構が設けられ、前記回転ブロック機構によって前記円筒を固定状態である時便利に開けることができ、前記収納チャンバの右側端壁には通し口が設けられ、前記通し口の頂端には引掛りブロック機構が設けられ、前記引掛りブロック機構は前記リールをひっかけることができ、前記円筒の底部端面には吸盤溝が設けられ、前記吸盤溝の中には固定機構が設けられ、前記固定機構は前記円筒を机上に固定することができることを特徴とする固定できるビジネスペンケース。
【請求項２】
前記回転ブロック機構は前記凹溝の中に回転できるように設置される回転ブロックを含み、前記回転ブロックの底端と前記凹溝の底壁との間が復帰トーションバネによって弾性的に接続され、前記回転円柱の中にはすべり軸受が回転できるように設けられ、前記すべり軸受の頂端は前記収納チャンバの頂壁とが固定され、前記すべり軸受の中には中心軸が回転できるように設けられ、前記中心軸の頂端が前記回転ブロックの底端と固定され、前記回転円柱の底端にはトーションバネチャンバが設けられ、前記トーションバネチャンバの中には大トーションバネが設けられ、前記大トーションバネの一端は前記回転円柱と固定され、前記大トーションバネのもう一端が前記収納チャンバの底壁と固定され、手動で前記回転ブロックをねじり、前記中心軸を回転させることを特徴とする請求項１に記載の固定できるビジネスペンケース。
【請求項３】
前記固定機構は前記吸盤溝の頂壁に設けられるラック溝を含み、前記ラック溝が左右対称的に設けられ、前記ラック溝および前記ラック溝の中の機構がいずれも左右対称的に設けられ、右側のラック溝を例にして詳く説明し、前記ラック溝の中にはねじボルトが回転できるように設けられ、前記ねじボルト外周には歯車が固定的に設けられ、前記円筒の外周には環状ラックが回転できるように設けられ、前記環状ラックの内壁が前記歯車と噛み合って設置され、前記吸盤溝の中には押し板がスライドできるように設けられ、前記押し板が前記ねじボルトとねじ山により係合取り付けられ、前記押し板の底端には吸盤が固定的に設けられ、前記押し板の中には小型回転盤が回転できるように設けられ、前記小型回転盤の頂端にはスプラインスリーブが固定的に設けられ、前記スプラインスリーブが前記中心軸とスプラインにより係合接続され、前記押し板の底端には通気孔が設置され、前記押し板の頂端には空気入り口が設置され、前記空気入り口と前記通気孔との間が前記小型回転盤の中に設置される連通パイプによって連通され、環状ラックを手動でねじり、環状ラックを回転させ、歯車を回転連動させ、ねじボルトを回転させて前記押し板を連動させて下に移動させ、吸盤机上に吸着させ、小型回転盤が回転し、空気入り口と通気孔が連通パイプによって連通され、これにより装置を移動することができることを特徴とする請求項１に記載の固定できるビジネスペンケース。
【請求項４】
前記引掛りブロック機構は前記円筒の右側端面に回転できるように設置される引掛り軸を含み、前記引掛り軸の右端にはつまみが固定的に設けられ、前記引掛り軸の中には小スライドチャンバが設けられ、前記小スライドチャンバの中には引掛りブロックがスライドできるように設けられ、前記引掛りブロックの頂端と前記小スライドチャンバの頂壁との間が押圧バネによって弾性的に接続され、リールを引き出すと、引掛りブロックが引掛り溝の中に引っ掛かり、引掛り軸を回転させると引掛りブロックが引掛り溝から外れ、これにより、リールが収容チャンバの中に引っ込むことを特徴とする請求項１に記載の固定できるビジネスペンケース。
【発明の詳細な説明】
【技術分野】
【０００１】
本発明はペンケース技術分野を取り上げて、具体的には固定できるビジネスペンケースである。
【背景技術】
【０００２】
ペンケースは文房具バッグとも呼ばれ、ペンや他の小さな文房具を入れることができ、文房具箱より携帯に便利で、手応えもより快適に感じ、伝統的なペンケースのほとんどは学生向けで、ビジネスペンケースが非常に少なく、スタッフが出張中の場合、ペンは通常ブリーフケースに入れられ、ブリーフケースの収納をより紛らわしくし、そのため、ビジネスペンケースをデザインする必要がある。
【先行技術文献】
【特許文献】
【０００３】
【特許文献１】中国特許出願公開第105231621号明細書
【発明の概要】
【発明が解決しようとする課題】
【０００４】
本発明の目的は固定できるビジネスペンケースを提供し、それは上記の現在の技術中の問題を解決できる。
【課題を解決するための手段】
【０００５】
上記の課題を解決するため、本発明は以下の技術プランを採用する：固定できるビジネスペンケースは、円筒を含み、前記円筒は円筒形であり、前記円筒の中には収納チャンバが設置され、前記収納チャンバの中には回転円柱が回転できるように設けられ、前記回転円柱の外側にはリールが固定的に設けられ、前記リールが軟質材料で作られ、前記リールの内壁には均一に分布する六組のペン立てが固定的に設けられ、前記ペン立てはサインペンを収納することができ、前記リールの右端にはプルリングが固定的に設けられ、前記リールの頂端には均一に分布する引掛り溝が設けられ、前記円筒の頂端には凹溝が設けられ、前記凹溝の中には回転ブロック機構が設けられ、前記回転ブロック機構によって前記円筒を固定状態である時便利に開けることができ、前記収納チャンバの右側端壁には通し口が設けられ、前記通し口の頂端には引掛りブロック機構が設けられ、前記引掛りブロック機構は前記リールをひっかけることができ、前記円筒の底部端面には吸盤溝が設けられ、前記吸盤溝の中には固定機構が設けられ、前記固定機構は前記円筒を机上に固定することができる。
【０００６】
優選的には、前記回転ブロック機構は前記凹溝の中に回転できるように設置される回転ブロックを含み、前記回転ブロックの底端と前記凹溝の底壁との間が復帰トーションバネによって弾性的に接続され、前記回転円柱の中にはすべり軸受が回転できるように設けられ、前記すべり軸受の頂端は前記収納チャンバの頂壁とが固定され、前記すべり軸受の中には中心軸が回転できるように設けられ、前記中心軸の頂端が前記回転ブロックの底端と固定され、前記回転円柱の底端にはトーションバネチャンバが設けられ、前記トーションバネチャンバの中には大トーションバネが設けられ、前記大トーションバネの一端は前記回転円柱と固定され、前記大トーションバネのもう一端が前記収納チャンバの底壁と固定され、手動で前記回転ブロックをねじり、前記中心軸を回転させる。
【０００７】
優選的には、前記固定機構は前記吸盤溝の頂壁に設けられるラック溝を含み、前記ラック溝が左右対称的に設けられ、前記ラック溝および前記ラック溝の中の機構がいずれも左右対称的に設けられ、右側のラック溝を例にして詳く説明し、前記ラック溝の中にはねじボルトが回転できるように設けられ、前記ねじボルト外周には歯車が固定的に設けられ、前記円筒の外周には環状ラックが回転できるように設けられ、前記環状ラックの内壁が前記歯車と噛み合って設置され、前記吸盤溝の中には押し板がスライドできるように設けられ、前記押し板が前記ねじボルトとねじ山により係合取り付けられ、前記押し板の底端には吸盤が固定的に設けられ、前記押し板の中には小型回転盤が回転できるように設けられ、前記小型回転盤の頂端にはスプラインスリーブが固定的に設けられ、前記スプラインスリーブが前記中心軸とスプラインにより係合接続され、前記押し板の底端には通気孔が設置され、前記押し板の頂端には空気入り口が設置され、前記空気入り口と前記通気孔との間が前記小型回転盤の中に設置される連通パイプによって連通され、環状ラックを手動でねじり、環状ラックを回転させ、歯車を回転連動させ、ねじボルトを回転させて前記押し板を連動させて下に移動させ、吸盤机上に吸着させ、小型回転盤が回転し、空気入り口と通気孔が連通パイプによって連通され、これにより装置を移動することができる。
【０００８】
優選的には、前記引掛りブロック機構は前記円筒の右側端面に回転できるように設置される引掛り軸を含み、前記引掛り軸の右端にはつまみが固定的に設けられ、前記引掛り軸の中には小スライドチャンバが設けられ、前記小スライドチャンバの中には引掛りブロックがスライドできるように設けられ、前記引掛りブロックの頂端と前記小スライドチャンバの頂壁との間が押圧バネによって弾性的に接続され、リールを引き出すと、引掛りブロックが引掛り溝の中に引っ掛かり、引掛り軸を回転させると引掛りブロックが引掛り溝から外れ、これにより、リールが収容チャンバの中に引っ込む。
【０００９】
使用中は、円筒を握り、円筒を机上に置き、環状ラックを回転させ、押し板を下方に移動させ、それによって吸盤が机上に吸着し、プルリングを引いてリールを収納チャンバから引き出し、引掛りブロックが引掛り溝の中に引っ掛かり、リールを引き戻させないようにし、ペンをペン立てから取り出した後、つまみを回転させ、引掛りブロックを引掛り溝から外し、大トーションバネは回転円柱を回転連動させ、それによってリールを収納チャンバの中に引き戻し、ペンケースを取ろうとすれば、まず、回転ブロックを回転させ、中心軸が小型回転盤を回転連動させ、連通パイプによって空気入り口と通気孔は連通し、それによって吸盤を外す
【発明の効果】
【００１０】
本発明の有益な効果は：本発明は構造が簡単で、操作が便利で、ビジネスの出張やオフィスでの際には、携帯でき且つ吸盤によって装置を机上に固定することができ、このとき、リールを引き出したり引いたり回収したりし、構造がよりコンパクトになり、宣伝が容易になる。
【図面の簡単な説明】
【００１１】
【図１】図１は本発明の固定できるビジネスペンケースの内部全体構成概略図である；
【図２】図２は本発明の図１のＡ―Ａの略図である；
【図３】図３は本発明の図１のＣの局部拡大略図である；
【図４】図４は本発明の図１のＢの局部拡大略図である。
【発明を実施するための形態】
【００１２】
下記に図１〜４を合わせて本発明について詳しく説明します。説明を便利にさせるように、ここで下記の方位に規定します：下記の上下左右前後という方向は図１の自身の投影関係の上下左右前後の方向と一致します。
【００１３】
図１〜４を参照し、本発明の実施例の固定できるビジネスペンケースは、円筒１０を含み、前記円筒１０は円筒形であり、前記円筒１０の中には収納チャンバ１１が設置され、前記収納チャンバ１１の中には回転円柱１４が回転できるように設けられ、前記回転円柱１４の外側にはリール１２が固定的に設けられ、前記リール１２が軟質材料で作られ、前記リール１２の内壁には均一に分布する六組のペン立て１３が固定的に設けられ、前記ペン立て１３はサインペンを収納することができ、前記リール１２の右端にはプルリング２２が固定的に設けられ、前記リール１２の頂端には均一に分布する引掛り溝３０が設けられ、前記円筒１０の頂端には凹溝１６が設けられ、前記凹溝１６の中には回転ブロック機構６２が設けられ、前記回転ブロック機構６２によって前記円筒１０を固定状態である時便利に開けることができ、前記収納チャンバ１１の右側端壁には通し口３２が設けられ、前記通し口３２の頂端には引掛りブロック機構６１が設けられ、前記引掛りブロック機構６１は前記リール１２をひっかけることができ、前記円筒１０の底部端面には吸盤溝２８が設けられ、前記吸盤溝２８の中には固定機構６０が設けられ、前記固定機構６０は前記円筒１０を机上に固定することができる。
【００１４】
前記回転ブロック機構６２は前記凹溝１６の中に回転できるように設置される回転ブロック１８を含み、前記回転ブロック１８の底端と前記凹溝１６の底壁との間が復帰トーションバネ１７によって弾性的に接続され、前記回転円柱１４の中にはすべり軸受２１が回転できるように設けられ、前記すべり軸受２１の頂端は前記収納チャンバ１１の頂壁とが固定され、前記すべり軸受２１の中には中心軸３１が回転できるように設けられ、前記中心軸３１の頂端が前記回転ブロック１８の底端と固定され、前記回転円柱１４の底端にはトーションバネチャンバ１９が設けられ、前記トーションバネチャンバ１９の中には大トーションバネ２０が設けられ、前記大トーションバネ２０の一端は前記回転円柱１４と固定され、前記大トーションバネ２０のもう一端が前記収納チャンバ１１の底壁と固定され、手動で前記回転ブロック１８をねじり、前記中心軸３１を回転させる。
【００１５】
前記固定機構６０は前記吸盤溝２８の頂壁に設けられるラック溝２４を含み、前記ラック溝２４が左右対称的に設けられ、前記ラック溝２４および前記ラック溝２４の中の機構がいずれも左右対称的に設けられ、右側のラック溝２４を例にして詳く説明し、前記ラック溝２４の中にはねじボルト２６が回転できるように設けられ、前記ねじボルト２６外周には歯車２５が固定的に設けられ、前記円筒１０の外周には環状ラック２３が回転できるように設けられ、前記環状ラック２３の内壁が前記歯車２５と噛み合って設置され、前記吸盤溝２８の中には押し板２７がスライドできるように設けられ、前記押し板２７が前記ねじボルト２６とねじ山により係合取り付けられ、前記押し板２７の底端には吸盤２９が固定的に設けられ、前記押し板２７の中には小型回転盤３８が回転できるように設けられ、前記小型回転盤３８の頂端にはスプラインスリーブ４２が固定的に設けられ、前記スプラインスリーブ４２が前記中心軸３１とスプラインにより係合接続され、前記押し板２７の底端には通気孔４０が設置され、前記押し板２７の頂端には空気入り口４１が設置され、前記空気入り口４１と前記通気孔４０との間が前記小型回転盤３８の中に設置される連通パイプ３９によって連通され、環状ラック２３を手動でねじり、環状ラック２３を回転させ、歯車２５を回転連動させ、ねじボルト２６を回転させて前記押し板２７を連動させて下に移動させ、吸盤２９机上に吸着させ、小型回転盤３８が回転し、空気入り口４１と通気孔４０が連通パイプ３９によって連通され、これにより装置を移動することができる。
【００１６】
前記引掛りブロック機構６１は前記円筒１０の右側端面に回転できるように設置される引掛り軸３３を含み、前記引掛り軸３３の右端にはつまみ３７が固定的に設けられ、前記引掛り軸３３の中には小スライドチャンバ３４が設けられ、前記小スライドチャンバ３４の中には引掛りブロック３６がスライドできるように設けられ、前記引掛りブロック３６の頂端と前記小スライドチャンバ３４の頂壁との間が押圧バネ３５によって弾性的に接続され、リール１２を引き出すと、引掛りブロック３６が引掛り溝３０の中に引っ掛かり、引掛り軸３３を回転させると引掛りブロック３６が引掛り溝３０から外れ、これにより、リール１２が収容チャンバ１１の中に引っ込む。
【００１７】
使用中は、円筒１０を握り、円筒１０を机上に置き、環状ラック２３を回転させ、押し板２７を下方に移動させ、それによって吸盤２９が机上に吸着し、プルリング２２を引いてリール１２を収納チャンバ１１から引き出し、引掛りブロック３６が引掛り溝３０の中に引っ掛かり、リール１２を引き戻させないようにし、ペンをペン立て１３から取り出した後、つまみ３７を回転させ、引掛りブロック３６を引掛り溝３０から外し、大トーションバネ２０は回転円柱１４を回転連動させ、それによってリール１２を収納チャンバ１１の中に引き戻し、ペンケースを取ろうとすれば、まず、回転ブロック１８を回転させ、中心軸３１が小型回転盤３８を回転連動させ、連通パイプ３９によって空気入り口４１と通気孔４０は連通し、それによって吸盤を外す。
【００１８】
本発明の有益な効果は：本発明は構造が簡単で、操作が便利で、ビジネスの出張やオフィスでの際には、携帯でき且つ吸盤によって装置を机上に固定することができ、このとき、リールを引き出したり引いたり回収したりし、構造がよりコンパクトになり、宣伝が容易になる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157747.tif 000003
【図２】
2020157747.tif 000004
【図３】
2020157747.tif 000005
【図４】
2020157747.tif 000006
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
円筒を含み、前記円筒は円筒形であり、前記円筒の中には収納チャンバが設置され、前記収納チャンバの中には回転円柱が回転できるように設けられ、前記回転円柱の外側にはリールが固定的に設けられ、前記リールが軟質材料で作られ、前記リールの内壁には均一に分布する六組のペン立てが固定的に設けられ、前記ペン立てはサインペンを収納することができ、前記リールの右端の円弧面にはプルリングが固定的に設けられ、前記リールの頂端には均一に分布する引掛り溝が設けられ、前記円筒の頂端には凹溝が設けられ、前記凹溝の中には回転ブロック機構が設けられ、前記収納チャンバの右側端壁には通し口が設けられ、前記通し口の頂端には引掛りブロック機構が設けられ、前記引掛りブロック機構は前記リールをひっかけることができ、前記円筒の底部端面には吸盤溝が設けられ、前記円筒の中には固定機構が設けられ、前記固定機構は前記円筒を机上に固定することができ、
前記回転ブロック機構は前記凹溝の中に回転できるように設置される回転ブロックを含み、前記回転ブロックの底端と前記凹溝の底壁との間が復帰トーションバネによって弾性的に接続され、前記回転円柱の中にはすべり軸受が回転できるように設けられ、前記すべり軸受の頂端は前記収納チャンバの頂壁とが固定され、前記すべり軸受の中には中心軸が回転できるように設けられ、前記中心軸の頂端が前記回転ブロックの底端と固定され、前記回転円柱の底端にはトーションバネチャンバが設けられ、前記トーションバネチャンバの中には大トーションバネが設けられ、前記大トーションバネの一端は前記回転円柱と固定され、前記大トーションバネのもう一端が前記収納チャンバの底壁と固定され、手動で前記回転ブロックをねじり、前記中心軸を回転させることができ、
前記固定機構は前記吸盤溝の頂壁に設けられるラック溝を含み、前記ラック溝が左右対称的に設けられ、前記ラック溝および前記ラック溝の中の機構がいずれも左右対称的に設けられ、右側のラック溝を例にして詳く説明し、前記ラック溝の中にはねじボルトが回転できるように設けられ、前記ねじボルト外周には歯車が固定的に設けられ、前記円筒の外周には環状ラックが回転できるように設けられ、前記環状ラックの内壁が前記歯車と噛み合って設置され、前記吸盤溝の中には押し板がスライドできるように設けられ、前記押し板が前記ねじボルトとねじ山により係合取り付けられ、前記押し板の底端には吸盤が固定的に設けられ、前記押し板の中には小型回転盤が回転できるように設けられ、前記小型回転盤の頂端にはスプラインスリーブが固定的に設けられ、前記スプラインスリーブが前記中心軸とスプラインにより係合接続され、前記押し板の底端には通気孔が設置され、前記押し板の頂端には空気入り口が設置され、前記空気入り口と前記通気孔との間が前記小型回転盤の中に設置される連通パイプによって連通され、環状ラックを手動でねじり、環状ラックを回転させ、歯車を回転連動させ、ねじボルトを回転させて前記押し板を連動させて下に移動させ、吸盤机上に吸着させ、小型回転盤が回転し、空気入り口と通気孔が連通パイプによって連通され、これにより装置を移動することができ、
前記引掛りブロック機構は前記円筒の右側端面に回転できるように設置される引掛り軸を含み、前記引掛り軸にはつまみが固定的に設けられ、前記引掛り軸の中には小スライドチャンバが設けられ、前記小スライドチャンバの中には引掛りブロックがスライドできるように設けられ、前記引掛りブロックの頂端と前記小スライドチャンバの頂壁との間が押圧バネによって弾性的に接続され、リールを引き出すと、引掛りブロックが引掛り溝の中に引っ掛かり、引掛り軸を回転させると引掛りブロックが引掛り溝から外れ、これにより、リールが収容チャンバの中に引っ込むことを特徴とする固定できるビジネスペンケース。
【手続補正２】
【補正対象書類名】明細書
【補正対象項目名】全文
【補正方法】変更
【補正の内容】
【発明の詳細な説明】
【技術分野】
【０００１】
本発明はペンケース技術分野を取り上げて、具体的には固定できるビジネスペンケースである。
【背景技術】
【０００２】
ペンケースは文房具バッグとも呼ばれ、ペンや他の小さな文房具を入れることができ、文房具箱より携帯に便利で、手応えもより快適に感じ、伝統的なペンケースのほとんどは学生向けで、ビジネスペンケースが非常に少なく、スタッフが出張中の場合、ペンは通常ブリーフケースに入れられ、ブリーフケースの収納をより紛らわしくし、そのため、ビジネスペンケースをデザインする必要がある。
【先行技術文献】
【特許文献】
【０００３】
【特許文献１】中国特許出願公開第105231621号明細書
【発明の概要】
【発明が解決しようとする課題】
【０００４】
本発明の目的は固定できるビジネスペンケースを提供し、それは上記の現在の技術中の問題を解決できる。
【課題を解決するための手段】
【０００５】
上記の課題を解決するため、本発明は以下の技術プランを採用する：固定できるビジネスペンケースは、円筒を含み、前記円筒は円筒形であり、前記円筒の中には収納チャンバが設置され、前記収納チャンバの中には回転円柱が回転できるように設けられ、前記回転円柱の外側にはリールが固定的に設けられ、前記リールが軟質材料で作られ、前記リールの内壁には均一に分布する六組のペン立てが固定的に設けられ、前記ペン立てはサインペンを収納することができ、前記リールの右端の円弧面にはプルリングが固定的に設けられ、前記リールの頂端には均一に分布する引掛り溝が設けられ、前記円筒の頂端には凹溝が設けられ、前記凹溝の中には回転ブロック機構が設けられ、前記収納チャンバの右側端壁には通し口が設けられ、前記通し口の頂端には引掛りブロック機構が設けられ、前記引掛りブロック機構は前記リールをひっかけることができ、前記円筒の底部端面には吸盤溝が設けられ、前記円筒の中には固定機構が設けられ、前記固定機構は前記円筒を机上に固定することができる。
【０００６】
優選的には、前記回転ブロック機構は前記凹溝の中に回転できるように設置される回転ブロックを含み、前記回転ブロックの底端と前記凹溝の底壁との間が復帰トーションバネによって弾性的に接続され、前記回転円柱の中にはすべり軸受が回転できるように設けられ、前記すべり軸受の頂端は前記収納チャンバの頂壁とが固定され、前記すべり軸受の中には中心軸が回転できるように設けられ、前記中心軸の頂端が前記回転ブロックの底端と固定され、前記回転円柱の底端にはトーションバネチャンバが設けられ、前記トーションバネチャンバの中には大トーションバネが設けられ、前記大トーションバネの一端は前記回転円柱と固定され、前記大トーションバネのもう一端が前記収納チャンバの底壁と固定され、手動で前記回転ブロックをねじり、前記中心軸を回転させる。
【０００７】
優選的には、前記固定機構は前記吸盤溝の頂壁に設けられるラック溝を含み、前記ラック溝が左右対称的に設けられ、前記ラック溝および前記ラック溝の中の機構がいずれも左右対称的に設けられ、右側のラック溝を例にして詳く説明し、前記ラック溝の中にはねじボルトが回転できるように設けられ、前記ねじボルト外周には歯車が固定的に設けられ、前記円筒の外周には環状ラックが回転できるように設けられ、前記環状ラックの内壁が前記歯車と噛み合って設置され、前記吸盤溝の中には押し板がスライドできるように設けられ、前記押し板が前記ねじボルトとねじ山により係合取り付けられ、前記押し板の底端には吸盤が固定的に設けられ、前記押し板の中には小型回転盤が回転できるように設けられ、前記小型回転盤の頂端にはスプラインスリーブが固定的に設けられ、前記スプラインスリーブが前記中心軸とスプラインにより係合接続され、前記押し板の底端には通気孔が設置され、前記押し板の頂端には空気入り口が設置され、前記空気入り口と前記通気孔との間が前記小型回転盤の中に設置される連通パイプによって連通され、環状ラックを手動でねじり、環状ラックを回転させ、歯車を回転連動させ、ねじボルトを回転させて前記押し板を連動させて下に移動させ、吸盤机上に吸着させ、小型回転盤が回転し、空気入り口と通気孔が連通パイプによって連通され、これにより装置を移動することができる。
【０００８】
優選的には、前記引掛りブロック機構は前記円筒の右側端面に回転できるように設置される引掛り軸を含み、前記引掛り軸にはつまみが固定的に設けられ、前記引掛り軸の中には小スライドチャンバが設けられ、前記小スライドチャンバの中には引掛りブロックがスライドできるように設けられ、前記引掛りブロックの頂端と前記小スライドチャンバの頂壁との間が押圧バネによって弾性的に接続され、リールを引き出すと、引掛りブロックが引掛り溝の中に引っ掛かり、引掛り軸を回転させると引掛りブロックが引掛り溝から外れ、これにより、リールが収容チャンバの中に引っ込む。
【０００９】
使用中は、円筒を握り、円筒を机上に置き、環状ラックを回転させ、押し板を下方に移動させ、それによって吸盤が机上に吸着し、プルリングを引いてリールを収納チャンバから引き出し、引掛りブロックが引掛り溝の中に引っ掛かり、リールを引き戻させないようにし、ペンをペン立てから取り出した後、つまみを回転させ、引掛りブロックを引掛り溝から外し、大トーションバネは回転円柱を回転連動させ、それによってリールを収納チャンバの中に引き戻し、ペンケースを取ろうとすれば、まず、回転ブロックを回転させ、中心軸が小型回転盤を回転連動させ、連通パイプによって空気入り口と通気孔は連通し、それによって吸盤を外す
【発明の効果】
【００１０】
本発明の有益な効果は：本発明は構造が簡単で、操作が便利で、ビジネスの出張やオフィスでの際には、携帯でき且つ吸盤によって装置を机上に固定することができ、このとき、リールを引き出したり引いたり回収したりし、構造がよりコンパクトになり、宣伝が容易になる。
【図面の簡単な説明】
【００１１】
【図１】図１は本発明の固定できるビジネスペンケースの内部全体構成概略図である    ；
【図２】図２は本発明の図１のＡ―Ａの略図である；
【図３】図３は本発明の図１のＣの局部拡大略図である；
【図４】図４は本発明の図１のＢの局部拡大略図である。
【発明を実施するための形態】
【００１２】
下記に図１〜４を合わせて本発明について詳しく説明します。説明を便利にさせるように、ここで下記の方位に規定します：下記の上下左右前後という方向は図１の自身の投影関係の上下左右前後の方向と一致します。
【００１３】
図１〜４を参照し、本発明の実施例の固定できるビジネスペンケースは、円筒１０を含み、前記円筒１０は円筒形であり、前記円筒１０の中には収納チャンバ１１が設置され、前記収納チャンバ１１の中には回転円柱１４が回転できるように設けられ、前記回転円柱１４の外側にはリール１２が固定的に設けられ、前記リール１２が軟質材料で作られ、前記リール１２の内壁には均一に分布する六組のペン立て１３が固定的に設けられ、前記ペン立て１３はサインペンを収納することができ、前記リール１２の右端の円弧面にはプルリング２２が固定的に設けられ、前記リール１２の頂端には均一に分布する引掛り溝３０が設けられ、前記円筒１０の頂端には凹溝１６が設けられ、前記凹溝１６の中には回転ブロック機構６２が設けられ、前記収納チャンバ１１の右側端壁には通し口３２が設けられ、前記通し口３２の頂端には引掛りブロック機構６１が設けられ、前記引掛りブロック機構６１は前記リール１２をひっかけることができ、前記円筒１０の底部端面には吸盤溝２８が設けられ、前記円筒１０の中には固定機構６０が設けられ、前記固定機構６０は前記円筒１０を机上に固定することができる。
【００１４】
前記回転ブロック機構６２は前記凹溝１６の中に回転できるように設置される回転ブロック１８を含み、前記回転ブロック１８の底端と前記凹溝１６の底壁との間が復帰トーションバネ１７によって弾性的に接続され、前記回転円柱１４の中にはすべり軸受２１が回転できるように設けられ、前記すべり軸受２１の頂端は前記収納チャンバ１１の頂壁とが固定され、前記すべり軸受２１の中には中心軸３１が回転できるように設けられ、前記中心軸３１の頂端が前記回転ブロック１８の底端と固定され、前記回転円柱１４の底端にはトーションバネチャンバ１９が設けられ、前記トーションバネチャンバ１９の中には大トーションバネ２０が設けられ、前記大トーションバネ２０の一端は前記回転円柱１４と固定され、前記大トーションバネ２０のもう一端が前記収納チャンバ１１の底壁と固定され、手動で前記回転ブロック１８をねじり、前記中心軸３１を回転させる。
【００１５】
前記固定機構６０は前記吸盤溝２８の頂壁に設けられるラック溝２４を含み、前記ラック溝２４が左右対称的に設けられ、前記ラック溝２４および前記ラック溝２４の中の機構がいずれも左右対称的に設けられ、右側のラック溝２４を例にして詳く説明し、前記ラック溝２４の中にはねじボルト２６が回転できるように設けられ、前記ねじボルト２６外周には歯車２５が固定的に設けられ、前記円筒１０の外周には環状ラック２３が回転できるように設けられ、前記環状ラック２３の内壁が前記歯車２５と噛み合って設置され、前記吸盤溝２８の中には押し板２７がスライドできるように設けられ、前記押し板２７が前記ねじボルト２６とねじ山により係合取り付けられ、前記押し板２７の底端には吸盤２９が固定的に設けられ、前記押し板２７の中には小型回転盤３８が回転できるように設けられ、前記小型回転盤３８の頂端にはスプラインスリーブ４２が固定的に設けられ、前記スプラインスリーブ４２が前記中心軸３１とスプラインにより係合接続され、前記押し板２７の底端には通気孔４０が設置され、前記押し板２７の頂端には空気入り口４１が設置され、前記空気入り口４１と前記通気孔４０との間が前記小型回転盤３８の中に設置される連通パイプ３９によって連通され、環状ラック２３を手動でねじり、環状ラック２３を回転させ、歯車２５を回転連動させ、ねじボルト２６を回転させて前記押し板２７を連動させて下に移動させ、吸盤２９机上に吸着させ、小型回転盤３８が回転し、空気入り口４１と通気孔４０が連通パイプ３９によって連通され、これにより装置を移動することができる。
【００１６】
前記引掛りブロック機構６１は前記円筒１０の右側端面に回転できるように設置される引掛り軸３３を含み、前記引掛り軸３３にはつまみ３７が固定的に設けられ、前記引掛り軸３３の中には小スライドチャンバ３４が設けられ、前記小スライドチャンバ３４の中には引掛りブロック３６がスライドできるように設けられ、前記引掛りブロック３６の頂端と前記小スライドチャンバ３４の頂壁との間が押圧バネ３５によって弾性的に接続され、リール１２を引き出すと、引掛りブロック３６が引掛り溝３０の中に引っ掛かり、引掛り軸３３を回転させると引掛りブロック３６が引掛り溝３０から外れ、これにより、リール１２が収容チャンバ１１の中に引っ込む。
【００１７】
使用中は、円筒１０を握り、円筒１０を机上に置き、環状ラック２３を回転させ、押し板２７を下方に移動させ、それによって吸盤２９が机上に吸着し、プルリング２２を引いてリール１２を収納チャンバ１１から引き出し、引掛りブロック３６が引掛り溝３０の中に引っ掛かり、リール１２を引き戻させないようにし、ペンをペン立て１３から取り出した後、つまみ３７を回転させ、引掛りブロック３６を引掛り溝３０から外し、大トーションバネ２０は回転円柱１４を回転連動させ、それによってリール１２を収納チャンバ１１の中に引き戻し、ペンケースを取ろうとすれば、まず、回転ブロック１８を回転させ、中心軸３１が小型回転盤３８を回転連動させ、連通パイプ３９によって空気入り口４１と通気孔４０は連通し、それによって吸盤を外す。
【００１８】
本発明の有益な効果は：本発明は構造が簡単で、操作が便利で、ビジネスの出張やオフィスでの際には、携帯でき且つ吸盤によって装置を机上に固定することができ、このとき、リールを引き出したり引いたり回収したりし、構造がよりコンパクトになり、宣伝が容易になる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年1月11日(2020.1.11)
【手続補正１】
【補正対象書類名】特許請求の範囲
【補正対象項目名】全文
【補正方法】変更
【補正の内容】
【特許請求の範囲】
【請求項１】
正面視で右上側につまみを有する固定できるビジネスペンケースであって、円筒を含み、前記円筒は円筒形であり、前記円筒の中には収納チャンバが設置され、前記収納チャンバの中には回転円柱が回転できるように設けられ、前記回転円柱の外側にはリールが固定的に設けられ、前記リールが軟質材料で作られ、前記リールの内壁には均一に分布する六組のペン立てが固定的に設けられ、前記ペン立てはサインペンを収納することができ、前記リールの右端の円弧面にはプルリングが固定的に設けられ、前記リールの頂端には均一に分布する引掛り溝が設けられ、前記円筒の頂端には凹溝が設けられ、前記凹溝の中には回転ブロック機構が設けられ、前記収納チャンバの右側端壁には通し口が設けられ、前記通し口の頂端には引掛りブロック機構が設けられ、前記引掛りブロック機構は前記リールをひっかけることができ、前記円筒の底部端面には吸盤溝が設けられ、前記円筒の中には固定機構が設けられ、前記固定機構は前記円筒を机上に固定することができ、
前記回転ブロック機構は前記凹溝の中に回転できるように設置される回転ブロックを含み、前記回転ブロックの底端と前記凹溝の底壁との間が復帰トーションバネによって弾性的に接続され、前記回転円柱の中にはすべり軸受が回転できるように設けられ、前記すべり軸受の頂端は前記収納チャンバの頂壁とが固定され、前記すべり軸受の中には中心軸が回転できるように設けられ、前記中心軸の頂端が前記回転ブロックの底端と固定され、前記回転円柱の底端にはトーションバネチャンバが設けられ、前記トーションバネチャンバの中には大トーションバネが設けられ、前記大トーションバネの一端は前記回転円柱と固定され、前記大トーションバネのもう一端が前記収納チャンバの底壁と固定され、手動で前記回転ブロックをねじり、前記中心軸を回転させることができ、
前記固定機構は前記吸盤溝の頂壁に設けられるラック溝を含み、前記ラック溝が左右対称的に設けられ、前記ラック溝および前記ラック溝の中の機構がいずれも左右対称的に設けられ、右側のラック溝を例にして詳く説明し、前記ラック溝の中にはねじボルトが回転できるように設けられ、前記ねじボルト外周には歯車が固定的に設けられ、前記円筒の外周には環状ラックが回転できるように設けられ、前記環状ラックの内壁が前記歯車と噛み合って設置され、前記吸盤溝の中には押し板がスライドできるように設けられ、前記押し板が前記ねじボルトとねじ山により係合取り付けられ、前記押し板の底端には吸盤が固定的に設けられ、前記押し板の中には小型回転盤が回転できるように設けられ、前記小型回転盤の頂端にはスプラインスリーブが固定的に設けられ、前記スプラインスリーブが前記中心軸とスプラインにより係合接続され、前記押し板の底端には通気孔が設置され、前記押し板の頂端には空気入り口が設置され、前記空気入り口と前記通気孔との間が前記小型回転盤の中に設置される連通パイプによって連通され、環状ラックを手動でねじり、環状ラックを回転させ、歯車を回転連動させ、ねじボルトを回転させて前記押し板を連動させて下に移動させ、吸盤机上に吸着させ、小型回転盤が回転し、空気入り口と通気孔が連通パイプによって連通され、これにより装置を移動することができ、
前記引掛りブロック機構は前記円筒の右側端面に回転できるように設置される引掛り軸を含み、前記引掛り軸にはつまみが固定的に設けられ、前記引掛り軸の中には小スライドチャンバが設けられ、前記小スライドチャンバの中には引掛りブロックがスライドできるように設けられ、前記引掛りブロックの頂端と前記小スライドチャンバの頂壁との間が押圧バネによって弾性的に接続され、リールを引き出すと、引掛りブロックが引掛り溝の中に引っ掛かり、引掛り軸を回転させると引掛りブロックが引掛り溝から外れ、これにより、リールが収容チャンバの中に引っ込むことを特徴とする固定できるビジネスペンケース。